(57)【要約】【課題】刃先位置の調整を目的とする調整方向以外にずれることなく簡単に短時間で行うことができ、高い刃先位置精度を有する、加工物の仕上げ面粗さおよび工具寿命に優れたスローアウェイ式切削工具を提供することを目的とする。【解決手段】スローアウェイ式切削工具本体３００と、その先端部に形成されたチップ取付座３５に着脱自在に装着されるスローアウェイチップ４００との間に、チップ取付座の底面３６より深くなるように形成された凹部３０に収容される調整駒１００を介在させ、この調整駒１００をその背面１１に接する押圧部材２００を介して調整方向Ｘに向けて凹部の底面３３に沿って平行に移動させることにより、スローアウェイチップ４００の調整方向Ｘとは反対側を向く面がこれに接する調整駒の正面１０により押圧され、スローアウェイチップ４００が調整方向Ｘに向かって突き出されて、切れ刃４０の位置が調整されることを特徴とする。【選択図】      図１
2008114344.tif 000002
【特許請求の範囲】
【請求項１】
切削工具本体とこの工具先端部に形成されたチップ取付座に着脱自在に装着される切れ刃を有するスローアウェイチップとの間に、前記チップ取付座の底面より深くなるように形成された凹部に収容される調整駒を介在させ、
この調整駒を、この調整駒の背面に接する押圧部材を介して調整方向に向けて前記凹部の底面に沿って平行に移動させることにより、
前記スローアウェイチップの調整方向とは反対側を向く面がこれに接する前記調整駒の正面により押圧され、前記スローアウェイチップが調整方向に向かって突き出されて、前記切れ刃の位置が調整される
ことを特徴とする刃振れ調整機構。
【請求項２】
工具本体の先端部に形成されたチップ取付座に切れ刃を有するスローアウェイチップが着脱自在に装着されるスローアウェイ式切削工具であって、
前記チップ取付座の底面よりも低くなるように形成された底面と、この底面に穿設されたねじ穴と、このねじ穴に螺合する調整ねじの頭部の一部と当接する略円弧状の溝が形成された壁面とを有する凹部が、調整方向とは反対側におけるチップ取付座に隣接して設けられるとともに、
この凹部に収容される、前記調整ねじの頭部の一部と嵌合する略円弧状の溝が背面に形成された調整駒を備え、
この調整駒を前記凹部に収容して前記ねじ穴に前記調整ねじを螺入した際に、この調整駒の正面が、前記チップ取付座における調整方向とは反対側の拘束面になるように構成されている
ことを特徴とする刃振れ調整機構を備えたスローアウェイ式切削工具。
【発明の詳細な説明】
【技術分野】
【０００１】
本発明は、切れ刃としてスローアウェイチップが工具本体に着脱自在に装着されてなるスローアウェイ式切削工具に用いられる刃振れ調整機構、および刃振れ調整機構を備えたスローアウェイ式切削工具に関する。
【背景技術】
【０００２】
従来より、加工物の平面加工に使用される切削工具として、複数の切れ刃を有する正面フライスが使用されている。この正面フライスは、複数の切れ刃が切削に関与することから、各刃先の突き出し量のばらつきが仕上げ面に影響を及ぼし、切れ刃の振れが大きいと加工面の仕上がりが悪くなる。さらに、刃振れにより切削加工時にびびり振動が発生し易くなることから、仕上げ面粗さが悪化し、刃先の欠け等の工具損傷により工具寿命が減少する。また、各刃先の突き出し量にばらつきがあると、切削に伴って突き出し量の大きい切れ刃が優先的に磨耗してしまうため、切れ刃の交換やチップの取替えを頻繁に行う必要が生じる。そのため、切れ刃としてスローアウェイチップが着脱自在に装着されてなるスローアウェイ式正面フライスにおいては、各刃先の突き出し量を工具軸線方向に調整するための種々の刃振れ調整機構を備えたものが知られている。
このような刃振れ調整機構を有するスローアウェイ式正面フライスであっても、切れ刃の移動方向が規制されていない場合には、切れ刃が所定の移動方向以外の方向へずれる可能性がある。その結果、刃振れ調整の対象となっていない各切れ刃の振れが悪化すると、各切れ刃における切削抵抗の差が大きくなり、刃部の損傷やびびり振動の発生によって工具寿命が短くなったり加工面の仕上がりが悪くなったりする恐れがあった。そこで、この問題を解決するために、切れ刃の移動方向を規制するためのガイド部を設けたフライスカッターが提案されている（例えば、特許文献１参照。）。
【特許文献１】特開２００６−１５０４９１号公報（第１図）
【発明の開示】
【発明が解決しようとする課題】
【０００３】
しかし、上記特許文献１の発明では、フライスカッター本体の取付座にガイド部が設けられることから、フライスカッターを製造するに際しては、工程数が多くなり長時間を要するという問題があった。また、インサートの着座面にセレーション溝が設けられることから、インサートを製造するに際しては、超硬合金等の硬質材料から構成されるインサートにセレーション溝を加工するのに長時間を要するため、製造効率が極めて悪く、製造コストが高くなってしまうという問題があった。
さらに、それらガイド部とセレーションとが互いに嵌まり込む形で取付座に装着されたインサートが、ガイド部に沿って移動されるように構成されていることから、フライスカッターを使用するに際しては、そのフライスカッター専用のインサートを装着する必要があり、汎用品との互換性を有しないため安価にフライスカッターを提供することができないという問題もあった。
【０００４】
本発明は、上記問題を解決するためになされたもので、刃先位置の調整を目的とする調整方向以外にずれることなく簡単に短時間で行うことができ、高い刃先位置精度を有する、加工物の仕上げ面粗さおよび工具寿命に優れたスローアウェイ式切削工具を提供することを目的とする。
【課題を解決するための手段】
【０００５】
上記課題を解決するために、本発明の刃振れ調整機構および刃振れ調整機構を備えたスローアウェイ式切削工具は以下の手段を採用する。
請求項１に記載の発明は、スローアウェイ式切削工具に用いられる刃振れ調整機構であって、切削工具本体とこの工具先端部に形成されたチップ取付座に着脱自在に装着される切れ刃を有するスローアウェイチップとの間に、チップ取付座の底面より深くなるように形成された凹部に収容される調整駒を介在させ、この調整駒を、この調整駒の背面に接する押圧部材を介して調整方向に向けて凹部の底面に沿って平行に移動させることにより、スローアウェイチップの調整方向とは反対側を向く面がこれに接する調整駒の正面により押圧され、スローアウェイチップが調整方向に向かって突き出されて、切れ刃の位置が調整されることを特徴とする。
【０００６】
本発明によれば、スローアウェイ式切削工具に装着されたスローアウェイチップの刃先位置を調整する場合において、調整駒が、押圧部材により凹部の底面に沿って調整方向に押し出されることにより、これに接するスローアウェイチップがチップ取付座の底面および側面に沿って突き出されて、その切れ刃が調整方向と平行に移動することで刃先位置が目的とする位置に調整されるように構成されている。そのため、調整駒の正面と、これに接するスローアウェイチップの調整方向とは反対側を向く面との間に、摩擦が発生することがなく、調整方向以外の方向に余計な力が働くことがない。また、調整駒が調整方向と平行な方向に移動するので、スローアウェイチップが取付面上で回転してしまうこともない。したがって、安定した刃先振れ調整を行うことができる。しかも、切れ刃の位置が目的とする調整方向以外の方向へずれることがないので、多数のスローアウェイチップを有する切削工具に用いても、刃振れ調整を簡単に短時間で行うことができる。
さらに、調整方向以外の方向へ刃先がずれることがなく高い刃先位置精度を得ることができることから、本発明に係る刃振れ調整機構を備えたスローアウェイ式切削工具を用いれば加工物の仕上げ面粗さが向上する。そして、本発明に係る刃振れ調整機構を備えると、高い刃先位置精度により各切れ刃間の刃振れによる切削抵抗の差が減少するので、切削加工時のびびり振動の発生を抑制することができ、刃部の欠損、工具寿命の短縮、および加工物の仕上げ面粗さの悪化を防止することが可能となる。
【０００７】
また、本発明によれば、調整駒を収容するための凹部の底面がチップ取付座の底面よりも低くなるように形成されることから、調整ねじを緩めても凹部から調整駒が抜け落ちることがなく、その凹部の調整方向の幅は調整駒の幅より調整代の分だけ広く、凹部と調整駒との調整方向における隙間は調整代分のみとされることから、刃振れ調整時に調整駒ががたつくこともなく、作業性に優れる。
【０００８】
また、本発明は構造の簡単な機構であり、汎用のスローアウェイチップを使用できるので、容易に低コストで本発明をスローアウェイ式切削工具に採用することができる。
【０００９】
請求項２に記載の発明は、工具本体の先端部に形成されたチップ取付座に切れ刃を有するスローアウェイチップが着脱自在に装着されるスローアウェイ式切削工具であって、チップ取付座の底面よりも低くなるように形成された底面と、この底面に穿設されたねじ穴と、このねじ穴に螺合する調整ねじの頭部の一部と当接する略円弧状の溝が形成された壁面とを有する凹部が、調整方向とは反対側におけるチップ取付座に隣接して設けられるとともに、この凹部に収容される、調整ねじの頭部の一部と嵌合する略円弧状の溝が背面に形成された調整駒を備え、この調整駒を凹部に収容してねじ穴に調整ねじを螺入した際に、この調整駒の正面が、チップ取付座における調整方向とは反対側の拘束面になるように構成されていることを特徴とする。
【００１０】
本発明によれば、調整ねじをねじ穴に螺入することにより、その調整ねじの頭部に接する調整駒が凹部の底面に沿って調整方向に押し出され、これに伴いその調整駒に接するスローアウェイチップがチップ取付座の底面および側面に沿って突き出されて、その切れ刃が調整方向と平行に移動する結果、目的とする刃先位置になるように構成されている。したがって、調整駒の正面と、これに接するスローアウェイチップの調整方向とは反対側を向く面との間に、摩擦が起きないため、調整方向以外の方向に余計な力が働くことがなく、また、スローアウェイチップが取付面上で回転してしまうこともないので、安定した刃先振れ調整を行うことができる。しかも、切れ刃の位置が目的とする調整方向以外の方向へずれることがないので、多数のスローアウェイチップを有する場合であっても、刃振れ調整を簡単に短時間で行うことができる。
さらに、調整方向以外の方向へ刃先がずれることがなく高い刃先位置精度を得ることができることから、切れ刃として多数のスローアウェイチップを備える場合であっても各切れ刃が切削時に描く軌跡が合致するので、加工物の仕上げ面粗さに優れる。各切れ刃の振れが小さくなると、各切れ刃間の切削抵抗の差が減少するので、切削加工時のびびり振動の発生を抑制することができる。その結果、刃部の欠損等の工具損傷の防止および工具寿命の延長を図るとともに、加工物の仕上げ面粗さの悪化を防止することが可能となる。
そして、各刃先の突き出し量にばらつきが生じないため、切削に伴って一部の突き出し量の大きい切れ刃が優先的に磨耗してしまうようなことがなく、多数のスローアウェイチップを有する場合であってもそれら複数の切れ刃が均等に磨耗していくこととなり、かつ、びびり振動による刃先の欠け等の刃部の欠損もないので、切れ刃の交換やチップの取替えの頻度が減少し、切削加工時の作業効率に優れる。
【００１１】
また、本発明によれば、調整駒を収容するための凹部の底面がチップ取付座の底面よりも低くなるように形成されることから、調整ねじを緩めた際においても凹部から調整駒が抜け落ちることがなく、その凹部の調整方向の幅は調整駒の幅より調整代の分だけ広く、凹部と調整駒との調整方向における隙間は調整代分のみとされることから、調整時に調整駒ががたつくこともないので、刃振れ調整時の作業性に優れる。
【００１２】
また、本発明は構造が簡単であり、汎用のスローアウェイチップを使用できるので、短時間で安価に刃振れ調整機構を備えたスローアウェイ式切削工具を提供することができる。
【発明の効果】
【００１３】
請求項１の発明によれば、切れ刃が目的とする調整方向以外にずれることなく、高い刃先位置精度を得ることができるとともに、刃先位置の調整を簡単に短時間で行うことが可能であるという効果を奏する。そして、本発明をスローアウェイ式切削工具に採用すれば、加工物の仕上げ面粗さの向上、切削加工時のびびり振動の抑制、および工具寿命の延長を図ることができる。
請求項２の発明によれば、刃先位置精度が高く、切れ刃が目的とする調整方向以外にずれることのない、加工物の仕上げ面粗さおよび工具寿命に優れた刃振れ調整機構を備えたスローアウェイ式切削工具を、短時間かつ安価に提供することができるという効果を奏する。また、刃振れ調整時の作業性に優れるとともに、切れ刃の欠け等による切れ刃の交換やチップの取替えの頻度が少なく切削加工時の作業効率に優れる。
【発明を実施するための最良の形態】
【００１４】
以下に、本発明の刃振れ調整機構および刃振れ調整機構を備えたスローアウェイ式切削工具の一実施例である正面フライスについて、図面に基づいて説明する。
図１は、本発明の刃振れ調整機構を備えたスローアウェイ式切削工具の一実施例を示す正面フライスの正面図であり、図２はその底面図、図３はそのスローアウェイチップおよび調整駒の装着前における先端外周部分の拡大図、図４はそれら装着後の先端外周部分の拡大図、図５はそのＡ−Ａ線に沿った縦断面図である。また、図６は、本発明の刃振れ調整機構に用いられる調整駒の一実施形態を示す調整駒の斜視図である。そして、図７は、本発明の刃振れ調整機構に用いられる押圧部材の一実施例を示す調整ねじの斜視図である。
【００１５】
本実施例に係る正面フライス３００の本体は、例えばＪＩＳ  Ｇ  ４０５３、ＪＩＳ  Ｇ  ４４０４等の鋼材等で構成され、図１および図２に示されるように、略円盤状をなし、その中央部には工具本体を工作機械の主軸に取り付けるための取付穴が軸線に沿って貫通形成され、その先端側外周部には工具本体の外周面及び先端面に開口するように複数のチップポケットおよびチップ取付座３５が設けられるとともに、このチップ取付座の工具後端側に隣接して凹部３０が設けられている。
【００１６】
これらのチップ取付座３５は、図３に示されるように、平坦面をなす底面３６とこれに交差するとともに調整方向Ｘと平行に延設された側面３７とを有し、その底面にはねじ穴が穿設されている。
一方、この正面フライス３００に装着されるスローアウェイチップ４００は、超硬合金、サーメット、セラミックス等から構成される略四角形の平板状をなし、その辺稜部には切れ刃が形成されるとともに、その中央部には取付穴が貫通形成されている。
つまり、スローアウェイチップ４００は、図４に示されるように、チップ取付座３５に着座させた後、取付穴を介して取付ねじをチップ取付座３５の底面３６に穿設されたねじ穴に螺入して、取付ねじの頭部を取付穴に係止させることにより、工具本体３００に着脱可能に装着される。
【００１７】
このように切れ刃として複数のスローアウェイチップが装着された正面フライス３００を、工具本体をその軸線回りに回転させつつ軸線と交差する方向に送りを与え、被加工物に接触させながら移動させて使用することにより、工具外周側に向けられた外周刃と工具先端側に向けられた正面刃４０によって切削が行われる。
【００１８】
また、これらの凹部３０は、図３に示されるように、平坦面をなす底面３３とこれに交差する壁面３１とを有し、その底面３３にはねじ穴３４が穿設されるとともに、その壁面３１にはこのねじ穴３４に螺合する調整ねじ２００の頭部２０の一部と接する略円弧状の溝３２が形成されている。
【００１９】
一方、この凹部３０に収容される調整駒１００は、例えばＪＩＳ  Ｇ  ４０５３等の鋼材等から構成され、図６に示されるように、使用時においてチップ取付座３５の工具後端側における拘束面となる正面１０と、これに平行する背面１１とを有し、その背面１１には調整ねじ２００の頭部２０の一部と嵌合する略円弧状の溝１２が形成されている。
【００２０】
そして、この調整駒１００を押圧するための押圧部材として用いられる調整ねじ２００は、例えば、ＪＩＳ  Ｇ  ４０５３等の鋼材等からなり、図７に示されるように、外周面にねじ山を形成したねじ部と、このねじ部の一端に一体的に形成される頭部２０とから構成されている。
【００２１】
つまり、この調整駒１００は、図４および図５に示されるように、凹部３０に収容させた後、調整ねじ２００をねじ穴３４に螺入して調整ねじ２００の頭部２０を略円弧状の溝３２，１２に係止させることにより、その正面１０がスローアウェイチップ４００の工具後端側を向く面に拘束され、その背面１１，１２が凹部３０の壁面３１，３２に拘束されるとともに、その底面が凹部３０の底面３３に拘束されて、工具本体３００に固定される。
なお、調整ねじ２００には曲げの力が働くため、凹部３０の壁面３１に設けられた略円弧状の溝３２に調整ねじ２００の頭部２０を接触させ、工具本体側でも力を受けるように構成されている。
【００２２】
そして、この調整駒１００は、調整ねじ２００を締め込むことにより、調整ねじ２００の頭部２０に押圧されて凹部３０の底面３３に沿って調整方向Ｘと平行に押し出され、その正面１０がスローアウェイチップ４００の工具後端側を向く面を押圧することで、スローアウェイチップ４００をチップ取付座３５の底面３６および調整方向Ｘと平行に延設された側面３７に沿って突き出し、切れ刃４０を調整方向Ｘと平行に移動させて、刃先位置を調整する。
【００２３】
このように刃振れ調整時において調整駒１００が凹部３０の底面３３に沿って調整方向Ｘと平行に移動するので、調整駒１００の正面１０と、これに接するスローアウェイチップ４００の調整方向とは反対側を向く面との間に、摩擦が発生することがなく、調整方向以外の方向に余計な力が働くことがない。また、切れ刃４０の移動方向がチップ取付座の底面３６および側面３７により規制されており、調整駒１００が調整方向Ｘと平行な方向に移動することから、スローアウェイチップ４００がチップ取付座面３６上で回転してしまうこともない。したがって、安定した刃先振れ調整を行うことができる。
【００２４】
その上、拘束面に摩擦が起きないことから、刃振れ調整に伴い調整駒１００が痛むこともなく、同じ調整駒１００を長期にわたって使用することができ、スローアウェイチップ４００が欠けることもなく、工具寿命が長い。
【００２５】
また、切れ刃４０の位置が目的とする調整方向以外の方向へずれることがないので、多数のスローアウェイチップ４００を有する正面フライス３００であっても、刃振れ調整を簡単に短時間で行うことができる。
【００２６】
しかも、本実施例によれば、調整方向以外の方向へ刃先がずれることがなく高い刃先位置精度を得ることができることから、切れ刃として多数のスローアウェイチップ４００を備える場合であっても各切れ刃が切削時に描く軌跡が合致するので、加工物の仕上げ面粗さに優れる。また、各切れ刃の振れが小さくなると、各切れ刃間の切削抵抗の差が減少するので、切削加工時のびびり振動の発生を抑制できることから、これによる刃部の欠損、工具損傷、および加工物の仕上げ面粗さの悪化を防止できる。
【００２７】
このような高い切れ刃精度により各刃先の突き出し量にばらつきが生じないと、切削に伴って一部の突き出し量の大きい切れ刃４０が優先的に磨耗してしまうようなことがなく、多数のスローアウェイチップ４００を有する場合であってもそれら複数の切れ刃４０が均等に磨耗していくことになるので、びびり振動による刃先の欠け等の刃部の欠損もないことから、切削に伴う切れ刃４０の交換やチップ４００の取替えの頻度が少なくてすむ。したがって、切削加工時の作業効率に優れる。
【００２８】
さらに、本実施例において、調整駒１００を収容するための凹部３０は、図５に示されるように、その底面３３がチップ取付座３５の底面３６よりも低くなるように形成されている。したがって、調整ねじを緩めても凹部から調整駒が抜け落ちることがなく、刃振れ調整時の作業性に優れる。
【００２９】
この凹部３０の調整方向Ｘの幅Ｄ（図３参照）は、調整駒１００の幅Ｗ（図６参照）よりも調整代の分だけ広くなるように形成されることが好ましい。このように凹部３０と調整駒１００との調整方向Ｘにおける隙間が調整代分のみとされることにより、刃振れ調整時の調整駒のがたつきを抑えることができ作業性に優れるからである。その上、その調整代と刃先移動量の関係が一定になるので、作業者の経験や熟練に頼ることなく刃振れの微調整を容易に行うことができ、安定して高い刃先位置精度を得ることができるからである。
【００３０】
また、本実施例における刃振れ調整機構は構造が簡単であり、切れ刃をして汎用のスローアウェイチップを使用できるとともに、押圧部材として汎用のねじを使用することができるので、短時間で安価に刃振れ調整機構を備えたスローアウェイ式切削工具を提供することができる。
【００３１】
ここで、正面フライスは旋削と異なり複数の切れ刃が切削に関与するため、刃先突き出し量のばらつきが仕上げ面に影響を与え、特に工具軸方向の正面刃４０の振れが直接影響を及ぼすとことから、調整方向Ｘは、切り込み方向である工具先端側に向かう方向とするのが好ましい（図１参照および図５参照）。そのため、本実施例においては、調整駒１００を収容するための凹部３０をチップ取付座３５の工具後端側に隣接して設け、刃先位置調整時に調整駒１００が工具軸方向に移動して切れ刃４０が工具先端側Ｘに向かって突き出されるような構成を採っている。
しかしながら、本発明に係る刃振れ調整機構における刃先位置の調整方向Ｘおよび調整駒１００を収容するための凹部３０の位置は、前記実施例に限定されるものではない。例えば、工具径方向の外周刃の振れの調整を目的とする場合には、刃先位置の調整方向を送り方向とすべく、凹部３０をチップ取付座の工具中心側に隣接して設け、刃先位置調整時に調整駒１００が工具径方向に移動して切れ刃が工具外周側に向かって突き出されるような構成を採用することもできる。
さらに、刃先位置の調整を切り込み方向と送り方向の双方において行いたい場合には、チップ取付座の工具後端側と工具中心側に２つの凹部３０を形成し、２つの調整駒を用いて刃振れ調整を行うように構成することも考えられ、凹部３０および調整駒１００の個数も前記実施例に限定されるものではない。
【００３２】
また、刃数の多い正面フライスや工具径の小さいフライス等においては、工具剛性の観点から、刃振れ調整機構を設けるにあたり設計上の制限を受ける場合がある。そのため、本実施例においては、調整駒１００を調整方向Ｘに移動させるための押圧部材として、調整ねじ２００を採用している。調整ねじ２００によれば、ねじ１個で調整駒１００を移動させるため、構造がシンプルで設計的にもコンパクトであることから工具設計上の自由度が高いからである。しかも、汎用のねじを調整ねじ２００として使用でき、製造工程数および工具点数が少なく安価に短時間で刃振れ調整機構を設けることができる。
しかしながら、本発明にかかる刃振れ調整機構に用いられる押圧部材は、調整駒１００を調整方向Ｘに押圧し凹部３０の底面３３に沿って移動させるものであればこれに限定されるものではなく、例えば調整くさび等を用いてもよい。
【００３３】
なお、前記実施例においては、本発明に係る刃振れ調整機構を備えたスローアウェイ式切削工具として、正面フライス３００を例に挙げて説明したが、これに限定されるものではなく、スローアウェイバイト、スローアウェイリーマ、スローアウェイエンドミル等の多種の切削工具に適用することができる。
また、スローアウェイチップ４００を取付ねじを用いて工具本体に装着するスクリュークランプ方式を採用した正面フライス３００を図示したが、これに代えて、取付穴に嵌挿した偏心ピンや傾動ピンによりクランプする方式、スローアウェイチップの厚さ方向上方より楔でクランプする方式、押さえ駒でクランプする方式等を採用してもよく、前記実施例に限定されるものではない。
【００３４】
また、前記実施例においては、スローアウェイチップ４００として略四角形の平板状をなすものを用いたが、菱形、平行四辺形、六角形等の略多角形の平板状のスローアウェイチップを用いてもよく、これに限定されるものではない。
さらに、切れ刃として用いられるスローアウェイチップ４００は、ネガティブチップでもポジティブチップでもよく、ポジティブチップを使用する場合には調整駒１００の正面３０もこれに合わせて傾斜するように形成するのが好ましい。調整駒１００の正面１０と、これに接するスローアウェイチップ４００の調整方向とは反対側を向く面との間の拘束面が全面当たり状態となって安定するからである。
【図面の簡単な説明】
【００３５】
【図１】本発明の刃振れ調整機構を備えたスローアウェイ式切削工具の一実施例を示すを正面フライスの正面図である。
【図２】図１に示す正面フライスの底面図である。
【図３】図１に示す正面フライスのスローアウェイチップおよび調整駒の装着前における先端外周部分を示す拡大図である。
【図４】図１に示す正面フライスのスローアウェイチップおよび調整駒の装着後における先端外周部分を示す拡大図である。
【図５】図１に示す４のＡ−Ａ線に沿う平面で切断した縦断面図である。
【図６】本発明の刃振れ調整機構に用いられる調整駒の一実施形態を示す調整駒の斜視図である。
【図７】本発明の刃振れ調整機構に用いられる押圧部材の一実施例を示す調整ねじの斜視図である。
【符号の説明】
【００３６】
１０    正面
１１    背面
３０    凹部
３３    凹部の底面
３５    チップ取付座
３６    チップ取付座の底面
４０    切れ刃
１００  調整駒
２００  調整ねじ（押圧部材）
３００  正面フライス
４００  スローアウェイチップ
Ｘ      刃先位置の調整方向
【図１】
2008114344.tif 000003
【図２】
2008114344.tif 000004
【図３】
2008114344.tif 000005
【図４】
2008114344.tif 000006
【図５】
2008114344.tif 000007
【図６】
2008114344.tif 000008
【図７】
2008114344.tif 000009